【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
システムであって、
レンズ構造と、
振動波源と、
第１、第２、第３及び第４の導体と、
接地端子と、
圧電材料の第１及び第２のセグメントを含み、前記レンズ構造に結合されるトランスデューサであって、前記圧電材料が電気信号に応答して歪を発生するように構成され、前記第１のセグメントが前記第１の導体と前記第２の導体とに電気的に結合され、前記第１の導体が第１の電気信号を前記第１のセグメントに印加するように構成され、前記第２の導体が第２の電気信号を前記第１のセグメントに印加するように構成され、前記第２のセグメントが前記第３の導体と前記第４の導体とに電気的に結合され、前記第３の導体が第３の電気信号を前記第２のセグメントに印加するように構成され、前記第４の導体が第４の電気信号を前記第２のセグメントに印加するように構成される、前記トランスデューサと、
第１の制御入力を有する第１のクロスバスイッチであって、前記振動波源と前記第１の導体との間と、前記振動波源と前記第２の導体との間と、前記接地端子と前記第１の導体との間と、前記接地端子と前記第２の導体との間とに結合される、前記第１のクロスバスイッチと、
第２の制御入力を有する第２のクロスバスイッチであって、前記振動波源と前記第３の導体との間と、前記振動波源と前記第４の導体との間と、前記接地端子と前記第３の導体との間と、前記接地端子と前記第４の導体との間とに結合される、前記第２のクロスバスイッチと、
を含み、
前記第１及び第２のクロスバスイッチが、前記第１及び第２の制御入力に応答して前記振動波源を前記第１及び第２のセグメントの双方に同時に接続する、又は、前記第１及び第２の制御入力に応答して前記振動波源を前記第１及び第２のセグメントの異なるものに異なる時間に接続する、ように構成される、システム。
【請求項２】
請求項１に記載のシステムであって、
前記第１のクロスバスイッチが、前記第１の制御入力に応答して、
前記接地端子を前記第２の導体に接続する一方で前記振動波源を前記第１の導体に接続する、又は、
前記接地端子を前記第１の導体に接続する一方で前記振動波源を前記第２の導体に接続する、又は、
前記第１の導体を前記振動波源と前記接地端子とから切断して前記第２の導体を前記振動波源と前記接地端子とから切断するために高インピーダンスを有する、
ように更に構成される、システム。
【請求項３】
請求項２に記載のシステムであって、
第５、第６、第７及び第８の導体と、
第３の制御入力を有する第３のクロスバスイッチであって、前記振動波源と前記第５の導体との間と、前記振動波源と前記第６の導体との間と、前記接地端子と前記第５の導体との間と、前記接地端子と前記第６の導体との間とに結合される、前記第３のクロスバスイッチと、
第４の制御入力を有する第４のクロスバスイッチであって、前記振動波源と前記第７の導体との間と、前記振動波源と前記第８の導体との間と、前記接地端子と前記第７の導体との間と、前記接地端子と前記第８の導体との間とに結合される、前記第４のクロスバスイッチと、
を更に含み、
前記トランスデューサが圧電材料の第３及び第４のセグメントを更に含み、前記第３のセグメントが前記第５の導体と前記第６の導体とに電気的に結合され、前記第５の導体が第５の電気信号を前記第３のセグメントに印加するように構成され、前記第６の導体が第６の電気信号を前記第３のセグメントに印加するように構成され、前記第４のセグメントが前記第７の導体と前記第８の導体とに電気的に結合され、前記第７の導体が第７の電気信号を前記第４のセグメントに印加するように構成され、前記第８の導体が第８の電気信号を前記第４のセグメントに印加するように構成され、
前記レンズ構造が中央セクションを有し、前記第１及び第２のセグメントが前記中央セクションの第１の対向する側に第１のセグメントの対を形成し、前記第３及び第４のセグメントが前記中央セクションの第２の対向する側に第２のセグメントの対を形成し、
前記クロスバスイッチが、それらのそれぞれの制御入力に応答して、
前記第１のセグメントの対に対して、前記接地端子を前記第２及び第４の導体に接続する一方で前記振動波源を前記第１及び第３の導体に接続することと、
前記第２のセグメントの対に対して、前記接地端子を前記第５及び第７の導体に接続する一方で前記振動波源を前記第６及び第８の導体に接続することと、
によることを含んで、定常波信号を前記第１及び第２の対に印加するように構成される、システム。
【請求項４】
請求項１に記載のシステムであって、
前記第１及び第２のクロスバスイッチが、同じ時間に前記前記第１及び第２のセグメントの双方に前記振動波源を接続するように更に構成される、システム。
【請求項５】
請求項３に記載のシステムであって、
前記第１、第２、第３及び第４のクロスバスイッチが、第１の時間に前記第１のセグメントの対に前記振動波源を接続し、第２の時間に前記第２のセグメントの第２の対に前記振動波源を接続するように構成される、システム。
【請求項６】
請求項１に記載のシステムであって、
前記第１及び第２のクロスバスイッチが、前記異なる時間に前記第１及び第２のセグメントの異なるセグメントに前記振動波源を接続するように更に構成される、システム。
【請求項７】
請求項６に記載のシステムであって、
前記第１及び第２のクロスバスイッチが、前記異なる時間に前記レンズ構造上に異なる振動応答を達成するために前記振動波源を接続するように更に構成される、システム。
【請求項８】
請求項７に記載のシステムであって、
前記異なる振動応答が異なるモード形状を有する、システム。
【請求項９】
請求項８に記載のシステムであって、
前記異なるモード形状が、モード（０，１）形状とモード（１，１）形状とを含む、システム。
【請求項１０】
請求項８に記載のシステムであって、
前記異なるモード形状が、モード（０，１）形状とモード（１，１）形状とモード（２，１）形状とを含む、システム。
【請求項１１】
請求項１に記載のシステムであって、
前記レンズ構造がレンズカバーを含む、システム。
【請求項１２】
請求項１に記載のシステムであって、
前記レンズ構造がカメラレンズを含む、システム。
【請求項１３】
請求項１に記載のシステムであって、
前記レンズ構造が円形のレンズ構造を含む、システム。
【請求項１４】
請求項１に記載のシステムであって、
前記第１及び第２のセグメントが前記トランスデューサの環帯に沿っている、システム。
【請求項１５】
カメラアセンブリであって、
カメラと、
前記カメラの近傍のレンズ構造と、
振動波源と、
第１、第２、第３及び第４の導体と、
接地端子と、
前記レンズ構造に結合され、圧電材料の第１及び第２のセグメントを含むトランスデューサであって、前記圧電材料が電気信号に応答して歪を発生するように構成され、前記第１のセグメントが前記第１の導体と前記第２の導体とに電気的に結合され、前記第１の導体が前記第１のセグメントに第１の電気信号を印加するように構成され、前記第２の導体が前記第１のセグメントに第２の電気信号を印加するように構成され、前記第２のセグメントが前記第３の導体と前記第４の導体とに電気的に結合され、前記第３の導体が前記第２のセグメントに第３の電気信号を印加するように構成され、前記第４の導体が前記第２のセグメントに第４の電気信号を印加するように構成される、前記トランスデューサと、
第１の制御入力を有する第１のクロスバスイッチであって、前記振動波源と前記第１の導体との間と、前記振動波源と前記第２の導体との間と、前記接地端子と前記第１の導体との間と、前記接地端子と前記第２の導体との間とに結合される、前記第１のクロスバスイッチと、
第２の制御入力を有する第２のクロスバスイッチであって、前記振動波源と第３の導体との間と、前記振動波源と前記第４の導体との間と、前記接地端子と前記第３の導体との間と、前記接地端子と前記第４の導体との間とに結合される、前記第２のクロスバッイッチと、
を含み、
前記第１及び第２のクロスバスイッチが、前記第１及び第２の制御入力に応答して前記振動波源を前記第１及び第２のセグメントの双方に同時に接続する、又は、前記第１及び第２の制御入力に応答して前記振動波源を前記第１及び第２のセグメントの異なるものに異なる時間に接続する、ように構成される、アセンブリ。
【請求項１６】
請求項１５に記載のアセンブリであって、
前記レンズ構造がレンズカバー又はカメラレンズを含む、アセンブリ。
【請求項１７】
請求項１５に記載のアセンブリであって、
前記第１及び第２のセグメントが前記トランスデューサの環帯に沿っている、アセンブリ。
【請求項１８】
レンズ構造からデブリを取り除く方法であって、
トランスデューサの圧電材料の第１及び第２のセグメントに振動波源を印加することであって、前記圧電材料が電気信号に応答して歪を発生するように構成され、前記トランスデューサが前記レンズ構造に結合されている、前記振動波源を印加することと、
前記振動波源に応答して前記トランスデューサから前記レンズ構造に波を結合することと、
を含み、
前記第１のセグメントが第１の導体と第２の導体とに電気的に結合され、前記第１の導体が前記第１のセグメントに第１の電気信号を印加するように構成され、前記第２の導体が前記第１のセグメントに第２の電気信号を印加するように構成され、
前記第２のセグメントが第３の導体と第４の導体とに電気的に結合され、前記第３の導体が前記第２のセグメントに第３の電気信号を印加するように構成され、前記第４の導体が前記第２のセグメントに第４の電気信号を印加するように構成され、
前記振動波源を印加することが、
接地を前記第２の導体に接続する一方で前記振動波源を前記第１の導体に接続するか、又は、前記接地を前記第１の導体に接続する一方で前記振動波源を前記第２の導体に接続するために、第１の制御信号入力に応答して第１のクロスバスイッチを介して前記振動波源を前記第１のセグメントに印加することと、
前記接地に前記第４の導体を接続する一方で前記振動波源を前記第３の導体に接続するか、又は、前記接地を前記第３の導体に接続する一方で前記振動波源を前記第４の導体に接続するために、第２の制御信号入力に応答して第２のクロスバスイッチを介して前記振動波源を前記第２のセグメントに印加することと、
前記振動波源を前記第１及び第２のセグメントの双方に同時に印加することと、
を含む、方法。
【請求項１９】
請求項１８に記載の方法であって、
前記振動波源を印加することが、
第１の時間に前記セグメントの第１のサブセットに前記振動波源を印加することと、
第２の時間に前記セグメントの第２のサブセットに前記振動波源を印加することと、
を更に含む、方法。
【請求項２０】
請求項１８に記載の方法であって、
前記振動波源を印加することが、異なる時間に前記第１及び第２のセグメントの異なるセグメントに前記振動波源を印加することを更に含む、方法。
【請求項２１】
請求項２０に記載の方法であって、
前記振動波源を印加することが、前記異なる時間に前記レンズ構造上に異なる振動応答を達成するために前記振動波源を印加することを更に含む、方法。
【請求項２２】
請求項２１に記載の方法であって、
前記異なる振動応答が異なるモード形状を有する、方法。
【請求項２３】
請求項１８に記載の方法であって、
前記第１及び第２のセグメントが前記トランスデューサの環帯に沿っている、方法。